(57)【要約】【課題】被測定電線の接続箇所の構造に左右されることなく容易に、かつ確実に接続を行う。【解決手段】被測定電線５を一対の挟持片６ａ、６ｂで挟持して被測定電線５と測定用リード線４とを電気的に接続する。一方の挟持片６ａ、６ｂに撚り線挿入部９と電線挟持部１０とを設け、被測定電線５が撚り被測定電線である場合には、撚り被測定電線５を撚り線挿入部９に挿入して挟持すると共に、撚り被測定電線以外の被測定電線５の場合には被測定電線５を電線挟持部１０に位置させて挟持する。【選択図】図１
2006166549.tif 000002
【特許請求の範囲】
【請求項１】
測定用リード線が接続されると共に被測定電線を挟持して被測定電線と測定用リード線とを電気的に接続する一対の挟持片を設け、これら挟持片のどちらか一方に、複数の導体を撚り合わせてなる撚り被測定電線を挿入する撚り線挿入部と、その撚り被測定電線以外の被測定電線を位置させる電線挟持部とを設けたことを特徴とする活線劣化診断装置用接続治具。
【請求項２】
前記他方の挟持片に、前記撚り被測定電線を挟持するとき、撚り線挿入部内に挿入した撚り被測定電線の導体をばらばらになることなく撚り線挿入部に押しつける突部を設けたことを特徴とする請求項１に記載の活線劣化診断装置用接続治具。
【請求項３】
前記一対の挟持片の一端部が、それぞれ蝶番に取り付けられて回動自在に支持されていることを特徴とする請求項１又は２に記載の活線劣化診断装置用接続治具。
【請求項４】
前記一対の挟持片のどちらか一方の挟持片の他端部に、挿入孔を設け、他方の挟持片の他端部に、雌ネジを螺刻したネジ孔を設け、該ネジ孔に、雄ネジが螺刻されたネジ部材を挿入螺合すると共に、ネジ部材の一端部を前記挿入孔に挿入し、該ネジ部材の一端部に、挿入孔からの抜け出を防止する抜出防止部材を着脱自在に取り付け、かつ、ネジ部材に、ネジ部材を回転させて一対の挟持片の間隔を調節する操作部を設けたことを特徴とする請求項３に記載の活線劣化診断装置用接続治具。
【発明の詳細な説明】
【技術分野】
【０００１】
本発明は、活線状態の電力ケーブルの絶縁劣化を診断する活線劣化診断装置の接続治具に係り、特に被測定電線の接続箇所の構造に左右されることなく容易に、かつ確実に接続を行える活線劣化診断装置用接続治具に関するものである。
【背景技術】
【０００２】
電力ケーブルは絶縁材料により被覆されており、その絶縁材料、特に高分子化合物の絶縁材料は年月が経つに連れて徐々に劣化し絶縁特性が低下する。架橋ポリエチレンを絶縁材料とするＣＶケーブルの絶縁劣化は、主に水トリーによることが知られている。絶縁材料の劣化の状態を知ることは、電力ケーブルの絶縁破壊を予防する上で極めて重要であり、活線状態の電力ケーブルの絶縁劣化を診断する活線劣化診断装置が既にいくつか知られている。例えば、高圧ＣＶケーブルの活線劣化診断装置は、図３に示すように、診断装置２（測定器３）を既設接地線５に測定用リード線４を介して接続し、測定回路を構成して漏洩電流の直流成分の大きさおよび極性等を測定し絶縁体の劣化の大きさおよび位置を検知するものである。
【０００３】
前記活線劣化診断装置２において既設接地線５と測定用リード線４との接続は、予め測定用リード線４に取り付けてある接続治具を用いることが提案されている。具体的には例えば、接続治具の鉤状の導電性の金具部に既設接地線を入れて、グリップを回すことによってネジ部材が螺合移動してネジ部材の先端が既設接地線に押しつけられ、既設接地線と測定用リード線とが電気的に接続される。
【０００４】
ところで、既設接地線の大半はＩＶ線が用いられるが、既設接地線は電気的にケーブル遮蔽層と大地とを接続するもので、その接続は電界緩和機能を有したケーブルの端末付近で、スズメッキ銅線等を用いて引き出し、このスズメッキ銅線にＩＶ線を接続してＩＶ線を大地まで配線することにより行われるのが一般的である。このため、接続箇所はＩＶ線部か、スズメッキ銅線部かのどちらかであり、ケーブルユーザによってこの接続箇所は統一されているので、接続治具はいずれかの接続箇所にあわせた構造のものを用いることがよく、例えば、図４に示すように、ＩＶ線用の接続治具２０としては、金具部２１が、多数の導体を撚り合わせてなるＩＶ線の導体がバラバラにならないように挿入口２２が狭い凹状に形成されているものが提案されている。図５に示すように、スズメッキ銅線用の接続治具２３としては、金具部２４が、挿入口２５が広いと共に接続箇所が広がって形成されているものが提案されている（例えば特許文献１参照）。
【特許文献１】特開２０００−２２４７４２（第２〜３頁、図１）
【発明の開示】
【発明が解決しようとする課題】
【０００５】
しかし、ＩＶ線用の接続治具２０は、金具部２１の挿入口２２が狭いため、ＩＶ線の導体がバラバラになりにくいが、スズメッキ銅線等は接続し難い。また、スズメッキ銅線用の接続治具２３は、金具部２４の挿入口２５が広いため、スズメッキ銅線等の単体の導体からなる線は入れやすいが、接続箇所が広がっているため、ＩＶ線の導体等がばらばらになり易い。
【０００６】
このため、異なるケーブルユーザを対象にして測定を行う際や同一ケーブルユーザでもまれに接続箇所の構造が混在している場合、測定用リード線４に取り付けられている接続治具では接続できないときには、別の接続治具を用いるので、取付作業に時間を要したり、取付が不完全な場合が生じることがある。
【０００７】
また、接続治具２０、２３の金具部２１、２４と既設接地線５との接続は、接続治具２０、２３のグリップ２６、２７を回してネジ部材２８、２９が螺合しネジ部材２８、２９の先端が既設接地線５に擦り付けられて行うため、最悪の場合、既設接地線５の導体が切断してしまい、接続できなくなることがあり得る。
【０００８】
そこで、本発明は、このような実状に鑑みなされたものであり、その目的は、被測定電線の接続箇所の構造に左右されることなく容易に、かつ確実に接続を行える活線劣化診断装置用接続治具を提供することにある。
【課題を解決するための手段】
【０００９】
前記目的を達成するために、本発明の活線劣化診断装置用接続治具は、測定用リード線が接続されると共に被測定電線を挟持して被測定電線と測定用リード線とを電気的に接続する一対の挟持片を設け、これら挟持片のどちらか一方に、複数の導体を撚り合わせてなる撚り被測定電線を挿入する撚り線挿入部と、その撚り被測定電線以外の被測定電線を位置させる電線挟持部とを設けたものである（請求項１）。
【００１０】
このように構成することで、被測定電線を一対の挟持片で挟持して被測定電線と測定用リード線とを電気的に接続するとき、被測定電線が撚り被測定電線である場合には、撚り被測定電線を撚り線挿入部に挿入して挟持すると共に、撚り被測定電線以外の被測定電線の場合には被測定電線を電線挟持部に位置させて挟持するため、両方の被測定電線に対応しているので、被測定電線の接続箇所の構造に左右されることなく容易に、被測定電線と測定用リード線とを電気的に接続することができる。
【００１１】
また、被測定電線と測定用リード線とを電気的に接続するのに、被測定電線を一対の挟持片で挟持するため、被測定電線の導体が切断することがなく、確実に接続を行える。
【００１２】
前記他方の挟持片に、前記撚り被測定電線を挟持するとき、撚り線挿入部内に挿入した撚り被測定電線の導体をばらばらになることなく撚り線挿入部に押しつける突部を設けることが好ましい（請求項２）。
【００１３】
このように他方の挟持片に突部を設けることにより、撚り被測定電線を挟持するとき、撚り被測定電線の導体がばらばらになることがないので、より確実に被測定電線と測定用リード線との接続を行える。
【００１４】
前記一対の挟持片の一端部が、それぞれ蝶番に取り付けられて回動自在に支持されていることが好ましい（請求項３）。
【００１５】
これにより、簡単な構造で一対の挟持片により被測定電線の挟持を行える。
【００１６】
前記一対の挟持片のどちらか一方の挟持片の他端部に、挿入孔を設け、他方の挟持片の他端部に、雌ネジを螺刻したネジ孔を設け、該ネジ孔に、雄ネジが螺刻されたネジ部材を挿入螺合すると共に、ネジ部材の一端部を前記挿入孔に挿入し、該ネジ部材の一端部に、挿入孔からの抜け出を防止する抜出防止部材を着脱自在に取り付け、かつ、ネジ部材に、ネジ部材を回転させて一対の挟持片の間隔を調節する操作部を設けることが好ましい（請求項４）。
【００１７】
これにより、ネジ部材をネジ孔に挿入螺合すると共に、一端部を挿入孔に挿入して抜出防止部材を取り付けて、操作部によりネジ部材を回転させることにより、一対の挟持片の間隔が任意に調節されるので、簡単な構造で間隔の調節を行える。
【発明の効果】
【００１８】
以上要するに請求項１に記載の発明によれば、被測定電線の接続箇所の構造に左右されることなく容易に、かつ、確実に被測定電線と測定用リード線とを電気的に接続することができる。
【００１９】
請求項２に記載の発明によれば、撚り被測定電線を挟持するとき、突部によって撚り被測定電線の導体がばらばらになることがないので、より確実に被測定電線と測定用リード線との接続を行える。
【００２０】
請求項３に記載の発明によれば、簡単な構造で一対の挟持片により被測定電線の挟持を行える。
【００２１】
請求項４に記載の発明によれば、簡単な構造で一対の挟持片の間隔の調節を行える。
【発明を実施するための最良の形態】
【００２２】
以下、本発明の実施の形態を添付図面に基づいて詳述する。
【００２３】
図１は本発明の活線劣化診断装置用接続治具の一例を示す図である。図１において、１は活線劣化診断装置用接続治具を示し、この活線劣化診断装置用接続治具１は、図３に示すように、例えば高圧ＣＶケーブルの活線劣化診断装置２の測定器３を測定用リード線４を介して被測定電線である既設接地線５に接続する際に、測定用リード線４と既設接地線５とを図１に示すように一対の挟持片６ａ、６ｂを用いて電気的に接続するものである。
【００２４】
被測定電線としては既設接地線５に限定されず、複数の導体を撚り合わせた撚り電線と導体が単体の電線とが混在する電線であればどのようなものでもよい。
【００２５】
一対の挟持片６ａ、６ｂは、既設接地線５を挟持するもので、導電性材料により成形されている。一対の挟持片６ａ、６ｂのどちらか一方の挟持片（第１挟持片）６ａには、リード線が接続されるリード線接続部７が設けられている。リード線接続部としては、具体的には例えば、リード線４の導体より若干大きな径のリード線挿入孔７が第１挟持片６ａの一端部の近傍に設けられ、このリード線挿入孔７に、リード線４の先端部の絶縁材料を除去しその導体のみを挿入して、ねじ等により締結することにより構成される。
【００２６】
一対の挟持片６ａ、６ｂの一端部は蝶番８を介して接続され、挟持片６ａ、６ｂが互いに回動自在に支持されている。第１、第２挟持片６ａ、６ｂの回動構造は、蝶番８に限定されず、他の部材や構造、例えば一方の挟持片にフック部を設けると共に他方の挟持片にフック係合部を設けて回動自在に支持するようにしてもよい。
【００２７】
第１挟持片６ａは、ほぼ直線状であって、例えばＩＶ線とスズメッキ銅線とを並列した長さ以上例えばその長さより若干長い長さに形成されている。他方の挟持片（第２挟持片）６ｂは、第１挟持片６ａより長く、この長い部分すなわち第１挟持片６ａとほぼ同じ長さであって第１挟持片６ａと接して挟持する部分（ほぼ直線部）より端部（他端部）までが第１挟持片６ａの他端部の先端側に向って傾斜するように形成されている。
【００２８】
一対の挟持片６ａ、６ｂのどちらか一方例えば第２挟持片６ｂの一端部（蝶番８側の端部）の近傍には、複数の導体を撚り合わせてなる撚り既設接地線例えばＩＶ線を挿入する撚り線挿入部９が設けられている。撚り線挿入部９は、ＩＶ線の導体がバラバラにならないように、具体的には例えばほぼ凹状に形成されている。
【００２９】
第２挟持片６ｂの撚り線挿入部９より他端側には、撚り既設接地線以外の既設接地線例えば導体が単体のスズメッキ銅線を位置させる電線挟持部１０が設けられている。なお、撚り線挿入部９と電線挟持部１０との位置は、逆に、つまり挟持片の一端部に電線挟持部１０を、他端部側に撚り線挿入部９をそれぞれ位置させるようにしてもよい。
【００３０】
第１挟持片６ａには、一対の挟持片６ａ、６ｂで既設接地線５を挟持するとき、撚り線挿入部９に挿入される突部１１が設けられている。突部１１は、撚り線挿入部９内に挿入した撚り既設接地線の導体をばらばらになることなく撚り線挿入部９に押しつけるように、具体的には例えばほぼ凸状に形成されている。
【００３１】
一対の挟持片６ａ、６ｂのどちらか一方例えば第２挟持片６ｂのほぼ直線部の他端部の近傍には、その他端部から中央部側にかけて延在する楕円状の挿入孔１２が設けられている。
【００３２】
第１挟持片６ａの他端部の近傍には、雌ネジを螺刻したネジ孔１３が設けられている。ネジ孔１３は、第１挟持片６ａの他端部に孔を穿設し、この孔の内壁に直接雌ネジを螺刻して形成するようにしてもよいし、雌ネジを螺刻したナットを第１挟持片の他端部に埋設して（取り付けて）形成するようにしてもよい。第１挟持片６ａのネジ孔１３には、ネジ部材１４が挿入螺合されている。なお、挿入孔１２を第１挟持片６ａに、ネジ孔１３を第２挟持片６ｂにそれぞれ設けるようにしてもよい。
【００３３】
ネジ部材１４は、丸棒状で前記挿入孔１３に挿入可能な径に形成され、外面に、前記ネジ孔１３の雌ネジに螺合する雄ネジが螺刻されている。
【００３４】
ネジ部材１４の一端部には、ネジ部材１４を挿入孔１２に挿入したとき、挿入孔１２から一端部が抜け出さないように抜出防止部材１５が設けられている。抜出防止部材１５としては、例えば、ネジ部材とほぼ同径の孔を有するキャップ等の蓋体、ネジ部材とほぼ同径の孔を有し、その孔の内周面に雌ネジが螺刻された蓋体、雌ネジ等が用いられる。
【００３５】
ネジ部材１４の他端部には、操作部１６が一体的に設けられている。操作部１６は、回転させることでネジ部材が連動して回転し一対の挟持片の間隔を調節するものである。操作部としては、特に限定されずどのように形成してもよく、例えば、ハンドル、グリップ等が用いられる。図示例は、操作部としてグリップ１６を用いた例であり、グリップ１６は、ネジ部材１４の他端部に、ネジ部材１４と同軸上であってネジ部材１４より大径に形成されている。グリップ１６の外周面は、滑り難いように多数の凸部を設けたり、滑り止め用のテープを巻いたりすることが好ましい。
【００３６】
さて、この活線劣化診断装置用接続治具１で測定用リード線４と被測定電線である既設接地線５とを接続するには、まず、リード線挿入孔７に、リード線４の先端部の絶縁材料を除去しその導体のみを挿入して、ねじ等により締結してリード線４を第１挟持片６ａに接続させておく。
【００３７】
ネジ部材１４の一端部の抜出防止部材１５をネジ部材１４から外し、図２に示すように、第２挟持片６ｂを回動させて、第１、第２挟持片６ａ、６ｂの間を開口させる。この間に既設接地線５を位置させる。このとき、既設接地線５が撚り被測定電線例えばＩＶ線である場合には、ＩＶ線を撚り線挿入部９に挿入する。また、既設接地線が撚り既設接地線以外の被測定電線例えばスズメッキ銅線の場合にはスズメッキ銅線線を電線挟持部１０に位置させる。
【００３８】
既設接地線５を第１、第２挟持片６ａ、６ｂの間に挿入した後、第２挟持片６ｂを回動させてその挿入孔１２内にネジ部材１４の一端部を挿入貫通させる。この一端部に抜出防止部材１５を取り付けた後、操作部（クリップ）１６を第１、第２挟持片６ａ、６ｂの間隔が狭くなるように回転させる。
【００３９】
操作部（クリップ）１６の回転により、ネジ部材１４が回転してその雄ネジと第１挟持片６ａのネジ孔１３の雌ネジとが螺合して、第１、第２挟持片６ａ、６ｂの間隔が徐々に狭くなる。このとき、第２挟持片６ｂの挿入孔１２が楕円状に形成されているため、ネジ部材１４の一端部がネジ部材１４の螺合に連動して挿入孔１２内を動くので、第１、第２挟持片６ａ、６ｂの間隔は容易に狭くなる。
【００４０】
そして、第１、第２挟持片６ａ、６ｂ間に挿入された既設接地線５が第１、第２挟持片６ａ、６ｂに挟持され、既設接地線５と測定用リード線４とが電気的に接続される。
【００４１】
このように、既設接地線５を第１、第２挟持片６ａ、６ｂで挟持して既設接地線５と測定用リード線４とを電気的に接続するとき、既設接地線５が例えばＩＶ線である場合には、ＩＶ線を撚り線挿入部９に挿入して挟持すると共に、撚り既設接地線以外の例えばスズメッキ銅線の場合にはスズメッキ銅線を電線挟持部１０に位置させて挟持するため、両方の既設接地線５に対応しているので、既設接地線５の接続箇所の構造に左右されることなく容易に、既設接地線５と測定用リード線４とを電気的に接続することができる。
【００４２】
また、既設接地線５と測定用リード線４とを電気的に接続するのに、既設接地線５を第１、第２挟持片６ａ、６ｂで挟持するため、先に提案されているようにネジ部材の先端部を擦り付けることがないので、この場合に比して既設接地線５の導体が切断することがなく、確実に接続を行える。
【００４３】
既設接地線５を第１、第２挟持片６ａ、６ｂの間から取るには、前記の動作とは逆に行えばよい。すなわち、操作部（クリップ）１６を前記回転方向とは逆方向に回転させて、第１、第２挟持片６ａ、６ｂの間隔を広げる。そして、抜出防止部材１５を外せるように、第１、第２挟持片６ａ、６ｂの間隔が広くなったら、抜出防止部材１５を外して、第２挟持片６ｂを回動させ、第１、第２挟持片６ａ、６ｂの間を開口させる。これにより、その開口から既設接地線５を取り出せる。
【００４４】
したがって、本発明の活線劣化診断装置用接続治具１は、既設接地線５の接続箇所の構造に左右されることなく容易に、かつ、確実に既設接地線５と測定用リード線４とを電気的に接続することができる。
【００４５】
また、撚り既設接地線５例えばＩＶ線を挟持するとき、第１挟持片６ａに突部１１を設けることにより、突部１１が撚り線挿入部９に挿入されて、ＩＶ線の導体がばらばらになることがないので、より確実に既設接地線５と測定用リード線４との接続を行える。
【００４６】
また、第１、第２挟持片６ａ、６ｂの一端部が蝶番８を介して接続されていることにより、簡単な構造で第１、第２挟持片６ａ、６ｂを互いに回動自在に支持することができる。
【００４７】
また、ネジ部材１４をネジ孔１３に挿入螺合すると共に、ネジ部材１４の一端部を挿入孔１２に挿入して抜出防止部材１５を取り付けて、操作部１６を介してネジ部材１４を回転させることにより、第１、第２挟持片６ａ、６ｂの間隔が任意に調節されるので、簡単な構造で第１、第２挟持片６ａ、６ｂの間隔を調節することができる。
【００４８】
また、本実施の形態では、ネジ部材１４の他端部（グリップ側端部）を第１挟持片６ａ（ネジ孔１３）に挿入すると共に一端部を第２挟持片６ｂの挿入孔１２に挿入して、一端部に抜出防止部材１５を取り付け、既設接地線５の接続を行う場合について説明したが、ネジ部材１４を逆に取り付けるようにしてもよい。すなわち、第１、第２挟持片６ａ、６ｂの間の所定の箇所に既設接地線５を挿入した後、ネジ部材１４の一端部を第２挟持片６ｂの第１挟持片６ａの反対側から挿入孔１２に挿入して、一端部を第１挟持片６ａのネジ孔１３に合せ、グリップ１６を回転させて、ネジ部材１４の一端部をネジ孔１３に挿入螺合する。そして、ブリップ１６をさらに回転させることにより、第１、第２挟持片６ａ、６ｂ間が狭くなり既設接地線５が第１、第２挟持片６ａ、６ｂに挟持されるので、既設接地線５と測定用リード線４との接続が行われる。このように、ネジ部材１４を逆に取り付けるようにしてもよく、この場合には、抜出防止部材１５が要らなくなるので部品点数を少なくすることができる。
【図面の簡単な説明】
【００４９】
【図１】本発明の活線劣化診断装置用接続治具の一例を示す図で、その（ａ）は側面図、（ｂ）は（ａ）中のＢ−Ｂ線矢視図である。
【図２】本発明の活線劣化診断装置用接続治具の第２挟持片を開いた状態を示す図である。
【図３】活線劣化診断装置の回路構成を示す図である。
【図４】先に提案されているＩＶ線用の接続治具を示す図で、その（ａ）は側面図、（ｂ）は（ａ）中のＣ−Ｃ線矢視図である。
【図５】先に提案されているスズメッキ銅線用の接続治具を示す図で、その（ａ）は側面図、（ｂ）は（ａ）中のＤ−Ｄ線矢視図である。
【符号の説明】
【００５０】
１    接続治具
４    測定用リード線
５    既設接地線（被測定電線）
６ａ  挟持片
６ｂ  挟持片
８    蝶番
９    撚り線挿入部
１０  電線挟持部
１１  突部
１２  挿入孔
１３  ネジ孔
１４  ネジ部材
１５  抜出防止部材
１６  操作部
【図１】
2006166549.tif 000003
【図２】
2006166549.tif 000004
【図３】
2006166549.tif 000005
【図４】
2006166549.tif 000006
【図５】
2006166549.tif 000007